(57)【要約】【課題】安定して体を支えるとともに、肘掛けを開放して側方からも使用者が移乗できる。また、回転可能な座部が通常ロックされて意図しない回転を阻止することができる。【解決手段】脚２に取り付けられた座部３と、脚２または座部３にアーム４７を介して取り付けられた背もたれ４と、背もたれ４に取り付けられた一対の肘掛け５と、からなる浴室用椅子１において、肘掛け５を、背もたれ４の両側から前方に差し出された略水平な作業位置と、座部３の上部側方が開放された移乗位置にわたって、背もたれ４に対して水平軸回りに回動自在に構成する。また、座部３が、脚２に回転機構を介して回転可能に支持され、通常ロック装置を介して回転不能に固定される。【選択図】図１
2004267293.tif 000002
【特許請求の範囲】
【請求項１】
脚に取り付けられた座部と、脚または座部にアームを介して取り付けられた背もたれと、背もたれに取り付けられた一対の肘掛けと、からなる浴室用椅子において、
前記肘掛けは、背もたれの両側から前方に差し出された略水平な作業位置と、座部の上部側方が開放された移乗位置にわたって、背もたれに対して水平軸回りに回動自在であることを特徴とする浴室用椅子。
【請求項２】
脚に回転機構を介して支持された座部と、座部にアームを介して取り付けられた背もたれと、背もたれに取り付けられた一対の肘掛けと、からなる浴室用椅子において、
前記座部は、通常ロック装置を介して回転不能に固定されていることを特徴とする浴室用椅子。
【請求項３】
前記回転機構が、同一円周上に設定間隔をおいて複数個の嵌合穴が形成されて脚に固定された下プレートと、座部に固定され、下プレートに設けられた軸受を介して回転自在に支持された上プレートと、から構成され、また、ロック装置が、上プレートに水平軸回りに回動自在に連結されたロックレバーと、ロックレバーに設けられて下プレートの嵌合穴に嵌合可能なロックピンと、上プレートとロックレバー間に配設されてロックピンが嵌合穴と嵌合する方向に付勢するスプリングと、から構成されることを特徴とする請求項２記載の浴室用椅子。
【請求項４】
前記肘掛けは、背もたれの両側から前方に差し出された略水平な作業位置と、座部の上部側方が開放された移乗位置にわたって、背もたれに対して水平軸回りに回動自在であることを特徴とする請求項２または３記載の浴室用椅子。
【請求項５】
前記一対の肘掛けは、互いの間隔を調節可能であることを特徴とする請求項１乃至４のいずれか記載の浴室用椅子。
【請求項６】
前記座部が、座本体および座本体に着脱自在に設けられたクッション部から形成され、クッション部が座本体の全面を覆うことを特徴とする請求項１乃至５のいずれか記載の浴室用椅子。
【請求項７】
前記背もたれが、背もたれ本体および背もたれ本体に着脱自在に設けられたクッション部から形成され、クッション部が背もたれ本体の全面を覆うことを特徴とする請求項１乃至６のいずれか記載の浴室用椅子。
【発明の詳細な説明】
【０００１】
【発明の属する技術分野】
本発明は、体の不自由な高齢者や障害者の介護に適切な浴室用椅子に関する。
【０００２】
【従来の技術】
病人、老人、身体障害者などは、入浴時に椅子に腰掛けて体を洗うのが好都合であり、従来から、種々の浴室用椅子が提案されている。
【０００３】
例えば、特許文献１には、金属パイプをＵ字状に湾曲形成した肘掛けが備えられた浴室用椅子が記載されている。この肘掛けは、座部の両側から上方に立ち上がらせた取付状態と、背もたれの両側から前方に差し出した取付状態とに変えることができるように構成されており、使用者や介護者の体形や障害の程度、もしくは使用状況に応じて、肘掛けの取付位置を変えることができるものである。
【０００４】
また、椅子に座った高齢者や障害者を介護する際、座部が回転して、高齢者等の体の向きを変えることができると、介護者の負担が軽くなるとともに、高齢者等自身も楽である。しかし、座部の回転を適確にロックするロック機構がなければ、使用者の意に反して回転してしまうおそれがあり、特に体の不自由な高齢者等にとっては危険であり、また、介護者にとっても、負担が大きくなる。このような観点から、回転椅子のロック機構が、種々提案されている。
【０００５】
例えば、特許文献２には、ネジで締め付けることにより、回転体を一時的に固定させる回転体の固定装置が記載されている。また、特許文献３には、固定ピンを、台座の挿入孔に挿入することで台座を固定する浴槽用回転座板が記載されている。
【０００６】
【特許文献１】
特開２００２−３２５６４８号公報
【特許文献２】
実用新案登録第３０６３９９６号公報
【特許文献３】
特開平８−２９４４６２号公報
【０００７】
【発明が解決しようとする課題】
しかしながら、特許文献１記載の浴室用椅子では、肘掛けの位置を変えるために、肘掛けを固定しているビスを取り外し、肘掛けを移動させた後に、再度取り付ける必要があり、煩雑である。
【０００８】
また、肘掛けがビスで座部の上部両側方に固定されているため、浴室用椅子の前方からしか体を移すことができなかった。このため、使用者が浴室用椅子に座って体を洗った後に浴槽につかる際、狭い浴室内で椅子の向きを変更する必要があり、使用者および介護者の負担が大きかった。この負担を軽減するには、使用者が椅子の側方から移乗できるようにするのが良いが、そのためには、肘掛けを外す必要があるところ、浴室内で肘掛けを一々着脱するのは困難である。
【０００９】
特許文献２に記載の回転椅子の固定装置では、固定させる度にネジを締め付ける必要があるため煩雑である。その上、締め付けが緩ければ回転してしまい、危険である。
【００１０】
特許文献３に記載の固定方法では、座部を持ち上げ、座部の下側から、固定ピンで脚に形成された穴を探す必要があるので、不便である。また、使用者が立ち上がらなければ、回転させ回転不能位置に固定することができない。
【００１１】
本発明は、このような事情に鑑み創作されたものであって、安定して体を支えることができるとともに、肘掛けを開放して側方からも使用者が移乗できる浴室用椅子を提供するものである。また、本発明は、回転可能な座部が通常ロックされて意図しない回転を阻止することができる浴室用椅子を提供するものである。
【００１２】
【課題を解決するための手段】
上記の目的を達成するため、本発明は、脚に取り付けられた座部と、脚または座部にアームを介して取り付けられた背もたれと、背もたれに取り付けられた一対の肘掛けと、からなる浴室用椅子において、前記肘掛けは、背もたれの両側から前方に差し出された略水平な作業位置と、座部の上部側方が開放された移乗位置にわたって、背もたれに対して水平軸回りに回動自在であることを特徴とする。
【００１３】
この発明によれば、肘掛けを作業位置にすることで、使用者の体を安定して支えることができる。一方、肘掛けを移乗位置まで回動させることで、浴室用椅子の側方が開放されるので、使用者が浴室用椅子の側方から移乗することができる。したがって、使用者および介護者の負担が軽減される。
【００１４】
本発明は、脚に回転機構を介して回転自在に支持された座部と、座部にアームを介して取り付けられた背もたれと、背もたれに取り付けられた一対の肘掛けと、からなる浴室用椅子において、前記座部は、通常ロック装置を介して回転不能に固定されていることを特徴とする。
【００１５】
この発明によれば、座部が回転自在に支持されるものの、通常ロック装置によって回転しないように固定されているので、ロック装置を解除することにより、使用者が浴室用椅子に座ったままで、座部を回転させて体の向きを変えることができる。したがって、使用者および介護者の負担が軽くなる。また、通常ロック装置により座部は回転不能に固定されるので、使用者の意に反して座部が回転することがなく、安全性が高い。
【００１６】
本発明は、前記回転機構が、同一円周上に設定間隔をおいて複数個の嵌合穴が形成されて脚に固定された下プレートと、座部に固定され、下プレートに設けられた軸受を介して回転自在に支持された上プレートと、から構成され、また、ロック装置が、上プレートに水平軸回りに回動自在に連結されたロックレバーと、ロックレバーに設けられて下プレートの嵌合穴に嵌合可能なロックピンと、上プレートとロックレバー間に配設されてロックピンが嵌合穴と嵌合する方向に付勢するスプリングと、から構成されることを特徴とする。
【００１７】
この発明によれば、ロックレバーをスプリングによりロックピンが下プレートの嵌合穴と嵌合する方向に付勢しているので、ロックピンは、下プレートの任意の嵌合穴に嵌まり込んでいる。このため、上プレート、すなわち座部の回転は、通常阻止されており、使用者の意に反して座部が回転することを阻止できる。
【００１８】
本発明は、上記構成の浴室用椅子において、前記肘掛けが、背もたれの両側から前方に差し出された略水平な作業位置と、座部の上部側方が開放された移乗位置にわたって、背もたれに対して水平軸回りに回動自在であることを特徴とする。
【００１９】
この発明によれば、肘掛けを作業位置にすることで、使用者の体を安定して支えることができる。一方、肘掛けを移乗位置まで回動させることで、浴室用椅子の側方が開放されるので、使用者が浴室用椅子の側方から移乗することができる。したがって、使用者および介護者の負担が軽減される。
【００２０】
本発明は、前記一対の肘掛けは、互いの間隔を調節可能であることを特徴とする。
【００２１】
この発明によれば、使用者の体型に応じて、肘掛けの間隔を調節して浴室用椅子を使用することができるので、使い勝手が良い。
【００２２】
本発明は、前記座部が、座本体および座本体に着脱自在に設けられたクッション部から形成され、クッション部が座本体の全面を覆うことを特徴とする。
【００２３】
この発明によれば、使用者が浴室用椅子に座ったときに、使用者の臀部はクッション部のみに接触するので、座り心地が良い。
【００２４】
本発明は、前記背もたれが、背もたれ本体および背もたれ本体に着脱自在に設けられたクッション部から形成され、クッション部が背もたれ本体の全面を覆うことを特徴とする。
【００２５】
この発明によれば、使用者が浴室用椅子に座ったときに、使用者の背中はクッション部のみに接触するので、座り心地が良い。
【００２６】
【発明の実施の形態】
以下、本発明の浴室用椅子１の第１実施形態について、図面を参照しながら説明する。
【００２７】
図１乃至図８には、本発明の浴室用椅子１の第１実施形態が示されている。
【００２８】
この浴室用椅子１は、脚２と、脚２に取り付けられた座部３と、脚２にアーム４７を介して取り付けられた背もたれ４と、背もたれ４に取り付けられた一対の肘掛け５と、から構成されている。
【００２９】
脚２は、中間位置で略コ字状に屈曲された一対の脚本体２１と、脚本体２１の各端部にそれぞれ摺動自在に嵌挿された４本の伸縮脚２２と、からなり、金属製パイプ、例えば、防錆性や軽量性が優れたアルミニウムパイプで形成されている。そして、一対の脚本体２１は、詳細には図示しないが、それぞれ略偏平に押しつぶされた略中間位置においてＸ字状に交差され、交差部分がネジ止めされて一体に固定されている。
【００３０】
また、脚本体２１の各端部近傍には、図示しないバネを介して外周面から突出するように位置決めピン２４が設けられている。
【００３１】
一方、伸縮脚２２には、脚本体２１に設けられた位置決めピン２４に対応して、設定間隔をおいて複数個の位置決め穴２２ａが形成されており、位置決め穴２２ａに位置決めピン２４を嵌合させることにより、脚本体２１に対する伸縮脚２２の伸縮量を調節して固定することができる。また、各伸縮脚２２の上端には、キャップ２５がねじ込まれており、キャップ２５を締め付けることにより、脚本体２１の外周面と前伸縮脚２１の内周面との隙間を狭めてがたつきを防止することができる。
【００３２】
なお、各伸縮脚２２の下端部には、脚ゴム２６が装着されており、洗い場面に傷をつけたり、滑ることが防止される。
【００３３】
また、脚２の材質としては、アルミ以外に、鉄あるいはステンレスであってもよい。
【００３４】
座部３は、図３に示すように、前端に凹状部を有する略方形中空状のプラスチック製座本体３１と、座本体３１に合致する形状に形成されて座本体３１の上面全体を覆う発泡プラスチック製のクッション部３２と、からなり、座本体３１には複数個の嵌合穴３３が形成され、一方、クッション部３２の裏面には、座本体３１の嵌合穴３３に嵌合する突出部３４が下方に向けて形成されている。したがって、座本体３１の嵌合穴３３にクッション部３２の突出部３４を嵌合させることにより、クッション部３２を座本体３１から簡単に取り外して洗浄したり、交換することができる。
【００３５】
また、座本体３１は、脚２の各脚本体２１にネジ止めされている。
【００３６】
背もたれ４は、図４に示すように、指を挿入可能な把持穴４３が形成された略方形中空状のプラスチック製背もたれ本体４１と、背もたれ本体４１の把持穴４３に対応する把持穴４４が形成されるとともに、背もたれ本体４１に合致する形状に形成されて背もたれ本体４１の前面全体を覆う発泡プラスチック製のクッション部４２と、一端部側が脚２の脚本体２１に固定されるとともに他端部側が背もたれ本体４１の背面に固定された互いに平行な一対のアーム４７と、からなる。そして、背もたれ本体４１には複数個の嵌合穴４５が形成され、一方、クッション部４２の裏面には、背もたれ本体４１の嵌合穴４５に嵌合可能な突出部４６が後方に向けて形成されている。したがって、背もたれ本体４１の嵌合穴４６にクッション部４２の突出部４６を嵌合させることにより、クッション部４２を背もたれ本体４１から簡単に取り外して洗浄したり、交換することができる。
【００３７】
なお、図示しないが、クッション部４２の突出部４６は、背もたれ本体４１の嵌合穴４５に対して簡単に脱落しない程度に摩擦力を有する形状とされている。
【００３８】
肘掛け５は、前述した背もたれ４における背もたれ本体４１の背面に固定された固定パイプ５４を有するパイプホルダー５５と、鉛直面内において略中間部がＵ字状に屈曲されるとともに、先端部が上方より見て直角に屈曲された略平行な上辺部５２と下辺部５３とを有するアルミパイプ製の肘掛け本体５１と、からなり、肘掛け本体５１の下辺部５３の先端部がパイプホルダー５５における固定パイプ５４の各端部に摺動自在に嵌挿され、上辺部５２の先端部が、前述したアーム４７に固定した固定フック５６に着脱自在に嵌合されている。そして、肘掛け本体５１のＵ字状屈曲部を含む上辺部５２と下辺部５３の略前半部は、プラスチック発泡体製のクッション部５７で被覆されている。
【００３９】
また、肘掛け５の上辺部５２の先端部には、図示しないバネを介して外周面から突出するように軸線方向に間隔をおいて、複数個の、具体的には２個の抜け止めピン５８ａ，５８ｂが設けられており、通常、図６に示すように、内方側のピン５８ａと固定フック５６の内端面とが当接して、それ以上の抜き出しが防止される。
【００４０】
同様に、肘掛け５の下辺部５３の先端部には、図示しないバネを介して外周面から突出するように軸線方向に間隔をおいて、複数個の、具体的には２個のストッパピン５９ａ，５９ｂが設けられている。そして、固定パイプ５４の両端部には、このストッパピン５９ａ，５９ｂを選択的に挿入可能な切欠５４ａがそれぞれ形成されている（図６、および図８参照）。この切欠５４ａは、固定パイプ５４の周方向に沿って設けられた長孔であって、肘掛け５を作業位置から移乗位置まで回動させたときに、ストッパピン５９ａ，５９ｂが切欠５４ａの内端縁にそれぞれ当接して、肘掛け５のそれ以上の回動が阻止される。
【００４１】
また、抜け止めピン５８ａ，５８ｂおよびストッパピン５９ａ，５９ｂは、同一の間隔に設定されており、内方側の抜け止めピン５８ａが固定フック５６の内端面に当接するとき、内方側のストッパピン５９ａが切欠５４ａに入り込んだ状態（図６参照）にあり、一方、各ピン５８ａ，５９ａをそれぞれ押込み、肘掛け５を互いに離間する向きに引き出すと、抜け止めピン５８ｂが固定フック５６の内端面に当接し、そのとき、ストッパピン５９ｂが切欠５４ａに入り込む（図７参照）。このように、肘掛け５の互いの間隔を広げることができる。また、この状態から、抜け止めピン５８ａ、およびストッパピン５９ａを押込んで、肘掛け５を互いに接近する向きに移動させると、肘掛け５の互いの間隔を縮めることができる（図６参照）。したがって、使用者の体型に応じて、肘掛け巾を簡単に調節することができる。
【００４２】
次に、上記構成の浴室用椅子１の使用方法について、図２および図５を参照しながら説明する。
【００４３】
予め、浴室用椅子１の肘掛け５の巾を、使用者の体型に合わせて調節しておき、肘掛け５を略水平に支持した作業位置とする（図２参照）。
【００４４】
この状態で使用者は、座部３上に座って体を洗うことができる。この際、使用者は、肘掛け５に肘を載せたり、上辺部５２もしくは下辺部５３を適宜把握することができるので、体型や体調に合わせて体を安定して支えることができる。このとき、肘掛け５のクッション部５７が使用者に接触するので、使用感が良い。また、使用者の臀部および背中は、座本体３１および背もたれ本体４１の全面を覆って設けられたクッション部３２、４２のみに接触するので、冬場の冷たさを緩和することができるとともに座り心地が良い。
【００４５】
体洗いが終了すれば、浴槽側の肘掛け５を略垂直の移乗位置まで回動させる（図５参照）。この際、下辺部５３が固定パイプ５４回りに回動するので、上辺部５２が固定フック５６から離脱し、簡単に移乗位置に回動させることができる。移乗位置では、座部３の上部側方が開放されているので、使用者は浴室用椅子１の側方から移乗することができるので、使用者・介護者の双方にとって、負担が軽くて済む。
【００４６】
次に、本発明の浴室用椅子１の第２実施形態について、図面を参照しながら説明する。
【００４７】
図９乃至図１５には、本発明の浴室用椅子１の第２実施形態が示されている。
【００４８】
この浴室用椅子１は、前述の第１実施形態の浴室用椅子１において、座部３が脚２に回転機構６を介して回転自在に支持されるとともに、通常、回転機構６に設けたロック装置７を介して回転不能に固定されたものである。
【００４９】
このため、第１実施形態と同一の部材には同一の符号を付してその詳細な説明を省略し、相違する点についてのみ説明する。
【００５０】
なお、背もたれ４のアーム４７は、座部３の座本体３１に固定されている。
【００５１】
回転機構６は、ボス６１１を有するプラスチック製の下プレート６１と、下プレート６１と一体に固定されたステンレス製の補強プレート６２と、下プレート６１のボス６１１に設けられた軸受６３（図１０参照）と、軸受６３に回転自在に支持され、ボス６４１を有するプラスチック製の上プレート６４と、からなり、下プレート６１が脚３の脚本体２１にビス止めされ、また、上プレート６４が座部３の座本体３１にビス止めされている。
【００５２】
ここで、下プレート６１は、図１１に示すように、外周縁にボス６１１の突出方向と同方向に突出するフランジ部６１２を有して略浅い円筒箱状に形成され、フランジ部６１２とボス６１１との間に十字状の補強リブ６１３が形成されている。そして、下プレート６１には、フランジ部６１２とボス６１１と間において、リング状肉厚部６１４が形成されており、該肉厚部６１４には、設定角度間隔をおいて、複数個の嵌合穴６１ａが形成されている。また、下プレート６１の補強リブ６１３には、ナット６１５がインサート成形されている。
【００５３】
補強プレート６２は、図１２に示すように、前述した下プレート６１のボス６１１が嵌合可能な穴６２ａを有するとともに、外周縁に９０度の間隔をおいて切欠部６２ｂが形成されており、さらに、下プレート６１の嵌合穴６１ａに対応して複数個の嵌合穴６２ｃが形成されている。この場合、下プレート６１に補強プレート６２を載せてナット６１５と切欠部６２ｂを合わせた後、図示しないボルトをナット６１５にねじ込んで下プレート６１を補強プレート６２に一体に締結することにより、下プレート６１の嵌合穴６１ａと補強プレート６２の嵌合穴６２ｃが合致するように設定されている。
【００５４】
上プレート６４も、図１３に示すように、外周縁にボス６４１の突出方向と同方向に突出するフランジ部６４２（図１０参照）を有して略浅い円筒箱状に形成され、上プレート６４のフランジ部６４２の内周面と、下プレート６１のフランジ部６１２の外周面とが嵌合可能に設定されている。そして、上プレート６４の上面側には、断面略半円状の２本の第１凹部６４３が半径方向に直交して形成されるとともに、これらの第１凹部６４３の外周縁を結んで断面略方形状の第２凹部６４４が形成されている。また、第１凹部６４３には、その外周縁部に円形状の凹部６４ａが形成されるとともに、前述した下プレート６１の嵌合穴６１ａ（補強プレート６２の嵌合穴６２ｃ）とほぼ同一半径上に位置して、貫通穴６４ｂが形成されている。さらに、各第１凹部６４３には、長さ方向の略中間に位置して、水平方向に貫通穴（図示せず）を形成した一対のタブ６４５（図１５参照）がそれぞれ立設されている。
【００５５】
これらの第１凹部６４３と第２凹部６４４によって形成された略直角三角形状の凹部には、後述するロック装置７のロックレバー７１が配置され、その際、ロックレバー７１のレバー７１１を一対のタブ６４５を介して挾持するとともに、その貫通穴にピン７４（図１５参照）を挿通することにより、ロックレバー７１を水平軸回りに回動自在に軸支することができる。
【００５６】
なお、上プレート６４のボス６４１の内周面には、その高さ方向の略中間に位置して、下プレート６１のボス６１１の外径にほぼ一致する内径の支持片６４６が形成されており、支持片６４６の上下に軸受６３を配置することができる。
【００５７】
したがって、予め下プレート６１と補強プレート６２とを一体に締結しておき、脚２の脚本体２１に下プレート６１をビス止めした後、下プレート６１のボス６１１に軸受６３を配置し、次いで、上プレート６４のボス６４１を軸受６３に嵌合するとともに、下プレート６１のボス６１１の外周面、上プレート６４のボス６４１の内周面および支持片６４６で区画された空間に軸受６３を配置し、さらに、下プレート６１のボス６１１および脚２の脚本体２２を通して締結ボルト６５を挿通し、締結ボルト６５にナット６６をねじ込むことにより、軸受６３、および上プレート６４を離脱しないように脚２に対して固定することができる。
【００５８】
この結果、下プレート６１に対して上プレート６４を回転自在に支持することができる。この際、下プレート６１のフランジ部６１２の外周面に、上プレート６４のフランジ部６４２の内周面が嵌合される。
【００５９】
一方、ロック装置７は、図１３に示すように、略直角三角形状のロックレバー７１と、ロックレバー７１の先端に水平軸回りに回動自在に軸支されたロックピン７２と、前述した上プレート６４の凹部６４ａに配置されてロックレバー７１を付勢するスプリング７３（図１０参照）と、からなり、ロックピン７２は、上プレート６４に形成された貫通穴６４ｂから挿通されて、その先端が補強プレート６２の嵌合穴６２ｃを経て下プレート６１の嵌合穴６１ａに嵌合可能に設定されている。
【００６０】
ロックレバー７１は、略く字状に折曲された一対のレバー７１１の基端部同士を直交して配置するとともに、それらのレバー７１１の略中間部を連結材７１２を介して連結して形成され、上プレート６４の一対の第１凹部６４３および第２凹部６４４にそれぞれ各レバー７１１の基端部および連結材７１２が配置されるように位置決めされている。そして、各レバー７１１の先端には、操作部７１３がほぼ一線上に対向するように設けられている。また、ロックレバー７１のレバー７１１には、上プレート６４の各第１凹部６４３にそれぞれ設けられた一対のタブ６４５の貫通穴に対向して、図示しない貫通穴が形成されており、一対のタブ６４５の貫通穴およびレバー７１１の貫通穴を通してピン７４を挿通することにより、ロックレバー７１を上プレート６４に対して水平軸回りに回動自在に軸支することができる。
【００６１】
また、ロックレバー７１のレバー７１１の基端には、上下方向に開口するスリット７１１ａが形成されるとともに、該スリット７１１ａに直交して貫通穴７１１ｂが形成されている（図１４参照）。
【００６２】
一方、ロックピン７２の上端には、レバー７１１のスリット７１１ａに嵌合可能な連結片７２１が形成されており、連結片７２１には、レバー７１１に形成された貫通穴７１１ｂに臨んで貫通穴７２１ａが形成されている。したがって、レバー７１１のスリット７１１ａにロックピン７２の連結片７２１を嵌め込み、それらの貫通穴７１１ｂ，７２１ａを通してピン７５を挿通することにより、ロックレバー７１に対してロックピン７２を水平軸回りに回動自在に軸支することができる。
【００６３】
したがって、上プレート６４の凹部６４ａにスプリング７３を配置するとともに、上プレート６４の貫通穴６４ｂを通してロックピン７２を挿通し、さらに、上プレート６４の第１凹部６４３および第２凹部６４４にわたってロックレバー７１を配置した後、レバー７１１の貫通穴およびタブ６４５の貫通穴にピン７４を挿通し、次いで、座部３の座本体３１と下プレート６４とをビス止めすることにより、上プレート６４、すなわち、座部３に対してロックレバー７を水平軸回りに回動自在に軸支することができる。この際、ロックレバー７は、スプリング７３の付勢力により、上プレート６４の貫通穴６４ｂから挿通されたロックピン７２の先端が、補強プレート６２の嵌合穴６２ｃを経て下プレート６１の嵌合穴６１ａに嵌合する方向に付勢されている。このため、座部３を若干回転することにより、一対のロックピン７２は、補強プレート６２および下プレート６１の、９０度の間隔をおいた一対の嵌合穴６２ｃ，６１ａに嵌合され、スプリング７３の付勢力によって嵌合状態が維持される（図１５（ａ）参照）。
【００６４】
この結果、座部３は、通常、ロックピン７２が補強プレート６２の嵌合穴６２ｃおよび下プレート６１の嵌合穴６１ａに嵌合されることにより、回転不能に維持され、座部３の、作業者の意図しない回転が防止されている。この際、図１０に示すように、ロックレバー７１におけるレバー７１１の操作部７１３は、座部３の外方に位置している。
【００６５】
一方、座部３を回転させる必要が生じた場合、スプリング７３の付勢力に抗して作業者がロックレバー７１の操作部７１３を押し下げれば、ロックレバー７１は、ピン７４回り回動して、その基端を上方に移動させることから、ロックレバー７１に連結されたロックピン７２が上プレート６４の貫通穴６４ｂに沿って上昇し、補強プレート６２の嵌合穴６２ｃおよび下プレート６１の嵌合穴６１ａから離脱する（図１５（ｂ）参照）。この状態では、座部３を軸受６３を介して軽快に回転させることができる。
【００６６】
任意の角度に回転した状態で、操作部７１３の押し下げ操作を中断すれば、ロックレバー７１は、スプリング７３の付勢力により、ピン７４回りに回動し、ロックピン７２が補強プレート６２の嵌合穴６２ｃおよび下プレート６１の嵌合穴６１ａに嵌合し、以後、座部３の回転が阻止される。
【００６７】
このように、本実施形態の浴室用折椅子１によれば、通常は回転がロックされているので、使用者の意に反して座部３が回転することがなく安全である。また、ロックレバー９を押し下げるだけでロックが解除され、高齢者等であっても体重をかければ容易にロックレバー９を押し下げることができるので使い易い。さらに、下プレート６１の嵌合穴６１ａが形成されている位置であれば、所望位置でロックすることができるので、浴槽と使用者間の位置関係や使用者と介護者間の位置関係等を考慮して最適な位置で回転およびロックさせることができ、使用者や介護者の負担が軽くなる。
【００６８】
【発明の効果】
以上のように、本発明の浴室用椅子によれば、安定して体を支えることができるとともに、肘掛けを開放して側方からも使用者が移乗できる。また、回転可能な座部が通常ロックされて意図しない回転を阻止することができる。
【図面の簡単な説明】
【図１】本発明の第１実施形態の浴室用椅子を示す斜視図である。
【図２】図１の浴室用椅子を示す側面図である。
【図３】本発明の浴室用椅子の座部を示す分解斜視図である。
【図４】本発明の浴室用椅子の背もたれを示す分解斜視図である。
【図５】図１の浴室用椅子の肘掛けを回動させる状態を示す側面図である。
【図６】図１の浴室用椅子を示す背面図である。
【図７】図６の浴室用椅子の肘掛け巾を広げた状態を示す背面図である。
【図８】本発明の浴室用椅子の肘掛けを示す背面図である。
【図９】本発明の第２実施形態の浴室用椅子を示す側面図である。
【図１０】図９の浴室用椅子の回転機構を示す部分断面図である。
【図１１】下プレートを示す平面図である。
【図１２】補強プレートを示す平面図である。
【図１３】上プレート、およびロック装置を示す平面図である。
【図１４】ロックレバーとロックピンの関係を示す斜視図である。
【図１５】ロックレバーとロックピンの動作を説明する概略図である。
【符号の説明】
１    浴室用椅子
２    脚
３    座部
４    背もたれ
４７アーム
５    肘掛け
６  回転機構
６１  下プレート
６３  軸受
６４  上プレート
７    ロック装置
７１ロックレバー
７２ロックピン
７３  スプリング
【図１】
2004267293.tif 000003
【図２】
2004267293.tif 000004
【図３】
2004267293.tif 000005
【図４】
2004267293.tif 000006
【図５】
2004267293.tif 000007
【図６】
2004267293.tif 000008
【図７】
2004267293.tif 000009
【図８】
2004267293.tif 000010
【図９】
2004267293.tif 000011
【図１０】
2004267293.tif 000012
【図１１】
2004267293.tif 000013
【図１２】
2004267293.tif 000014
【図１３】
2004267293.tif 000015
【図１４】
2004267293.tif 000016
【図１５】
2004267293.tif 000017